(57)【特許請求の範囲】
【請求項１】
原アスペクト比を有する原領域に表示するための原画像データを基に、前記原アスペクト比とは異なる実際の出力アスペクト比を有する出力領域に表示するための出力画像データを生成するための画像データ変換方法であって、
前記実際の出力アスペクト比に応じて、変換用パラメータを変化させるパラメータ生成ステップと、
前記原画像データをノンリニア・スケーリング処理することにより所定のアスペクト比の中間画像データを生成する中間画像データ生成ステップと、
前記中間画像データのうちの前記変換用パラメータで指定された領域に対応する部分を読み出し、当該読み出した部分を基に前記出力画像データを生成する出力画像データ生成ステップと、
を備えることを特徴とする画像データ変換方法。
【請求項２】
請求項１に記載の画像データ変換方法において、
前記実際の出力アスペクト比を画像表示制御部から検出する出力アスペクト比検出ステップを更に備えることを特徴とする画像データ変換方法。
【請求項３】
請求項１に記載の画像データ変換方法において、
前記パラメータ生成ステップは、
複数の想定される出力アスペクト比にそれぞれ対応した複数の予備パラメータを保持するステップと、
前記実際の出力アスペクト比と前記複数の想定された出力アスペクト比を参照して、前記複数の予備パラメータから前記変換用パラメータを生成し、又は、前記複数の予備パラメータのうちの１つの予備パラメータを前記変換用パラメータとして選択するステップと、
を備えることを特徴とする画像データ変換方法。
【請求項４】
請求項１に記載の画像データ変換方法において、
前記中間画像データは、前記実際の出力アスペクト比に依存して変化しないものであることを特徴とする画像データ変換方法。
【請求項５】
請求項１に記載の画像データ変換方法において、
前記出力画像データ生成ステップでは、前記中間画像データのうちの前記変換用パラメータにより指定された部分を基に、前記出力画像データを生成することを特徴とする画像データ変換方法。
【請求項６】
請求項５に記載の画像データ変換方法において、
前記中間画像データのうちの前記変換用パラメータにより指定された部分のアスペクト比は、前記実際の出力アスペクト比とは異なり、
前記出力画像データ生成ステップは、前記中間画像のうちの前記変換用パラメータにより指定された部分のアスペクト比から前記実際の出力アスペクト比へのアスペクト比変換を行なうステップを備えることを特徴とする画像データ変換方法。
【請求項７】
請求項３に記載の画像データ変換方法において、
前記変換用パラメータは、前記中間画像データのうちの前記出力領域に含めるべき部分を指定するものであることを特徴とする画像データ変換方法。
【請求項８】
請求項７に記載の画像データ変換方法において、
前記中間画像データのうちの前記変換用パラメータにより指定された部分のアスペクト比は、前記実際の出力アスペクト比とは異なり、
前記出力画像データ生成ステップは、前記中間画像データのうちの前記変換用パラメータにより指定された部分のアスペクト比から前記実際の出力アスペクト比へのアスペクト比変換を行なうステップを備えることを特徴とする画像データ変換方法。
【請求項９】
原アスペクト比を有する原領域に表示するための原画像データを基に、前記原アスペクト比とは異なる実際の出力アスペクト比を有する出力領域に表示するための出力画像データを生成するための画像データ変換装置であって、
前記実際の出力アスペクト比に応じて、変換用パラメータを変化させるパラメータ生成手段と、
前記原画像データをノンリニア・スケーリング処理することにより所定のアスペクト比の中間画像データを生成する中間画像データ生成手段と、
前記中間画像データのうちの前記変換用パラメータで指定された領域に対応する部分を読み出し、当該読み出した部分を基に前記出力画像データを生成する出力画像データ生成手段と、
を備えることを特徴とする画像データ変換装置。
【請求項１０】
請求項９に記載の画像データ変換装置において、
前記実際の出力アスペクト比を画像表示制御部から検出する出力アスペクト比検出手段を更に備えることを特徴とする画像データ変換装置。
【請求項１１】
請求項９に記載の画像データ変換装置において、
前記パラメータ生成手段は、
複数の想定される出力アスペクト比にそれぞれ対応した複数の予備パラメータを保持する手段と、
前記実際の出力アスペクト比と前記複数の想定された出力アスペクト比を参照して、前記複数の予備パラメータから前記変換用パラメータを生成し、又は、前記複数の予備パラメータのうちの１つの予備パラメータを前記変換用パラメータとして選択する手段と、
を備えることを特徴とする画像データ変換装置。
【請求項１２】
請求項９に記載の画像データ変換装置において、
前記中間画像データは、前記実際の出力アスペクト比に依存して変化しないものであることを特徴とする画像データ変換装置。
【請求項１３】
請求項９に記載の画像データ変換装置において、
前記出力画像データ生成手段では、前記中間画像データのうちの前記変換用パラメータにより指定された部分を基に、前記出力画像データを生成することを特徴とする画像データ変換装置。
【請求項１４】
請求項１３に記載の画像データ変換装置において、
前記中間画像データのうちの前記変換用パラメータにより指定された部分のアスペクト比は、前記実際の出力アスペクト比とは異なり、
前記出力画像データ生成手段は、前記中間画像のうちの前記変換用パラメータにより指定された部分のアスペクト比から前記実際の出力アスペクト比へのアスペクト比変換を行なう手段を備えることを特徴とする画像データ変換装置。
【請求項１５】
請求項１１に記載の画像データ変換装置において、
前記変換用パラメータは、前記中間画像データのうちの前記出力領域に含めるべき部分を指定するものであることを特徴とする画像データ変換装置。
【請求項１６】
請求項１５に記載の画像データ変換装置において、
前記中間画像データのうちの前記変換用パラメータにより指定された部分のアスペクト比は、前記実際の出力アスペクト比とは異なり、
前記出力画像データ生成手段は、前記中間画像データのうちの前記変換用パラメータにより指定された部分のアスペクト比から前記実際の出力アスペクト比へのアスペクト比変換を行なう手段を備えることを特徴とする画像データ変換装置。
【請求項１７】
請求項１乃至８の何れか１項に記載の画像データ変換方法をコンピュータに行なわせるための画像データ変換プログラム。
【請求項１８】
請求項１７に記載の画像データ変換プログラムを記録した、コンピュータ読取り可能な記録媒体。
【発明の詳細な説明】
【技術分野】
【０００１】
本発明は、原画像データを基に、出力画像データを生成するための画像データ変換方法、その装置及びそのプログラムに関し、特に、原アスペクト比を有する原領域に表示するための原画像データを基に、原アスペクト比とは異なる出力アスペクト比を有する出力領域に表示するための出力画像データを生成するための画像データ変換方法、その装置及びそのプログラムに関する。
【背景技術】
【０００２】
現行のテレビジョン方式（ＮＴＳＣ、ＰＡＬ、ＳＥＣＡＭ等）では、フレームのアスペクト比が４：３であるが、ハイビジョン（登録商標）の登場を背景として、現在、アスペクト比が４：３のテレビのみならず、アスペクト比が１６：９のテレビも普及している。アスペクト比が１６：９のテレビで現行のテレビジョン方式のテレビ信号を基に画像を全画面にわたり表示するためには、アスペクト比の変換が行なわれている。
【０００３】
また、パーソナルコンピュータにおいても、アスペクト比が４：３のモニタのみならず、アスペクト比が１６：９前後のモニタが普及している。アスペクト比が１６：９のモニタを備えるパーソナルコンピュータでは、例えば、ハイビジョンの画像を表示したり、横長のブラウザ画面を表示したり、横長のワードプロセッサの画面を表示したり、複数のウィンドウを違和感なく横に並べたりすることができる。しかし、アスペクト比が１６：９のモニタを備えるパーソナルコンピュータにおいても、現行のテレビジョン方式のテレビ信号やアスペクト比が４：３のＭＰＥＧデータ等を基にアスペクト比が１６：９前後のテレビ画面を表示することがある。
【０００４】
アスペクト比が４：３のテレビ信号を基にアスペクト比が１６：９前後のテレビ画面を表示するためには、図１に示すようなモードが利用されている。
【０００５】
図１（ａ）に示すのは、ノーマルモードの画面及び画像例であり、このモードにおいては、アスペクト比が１６：９の画面の高さにアスペクト比が４：３の画像の高さを合わせる。従って、左右にはブランク部分が生ずる。このモードでは、画像のアスペクト比は変換されない。
【０００６】
図１（ｂ）に示すのは、ズームモードの画面及び画像例であり、このモードにおいては、アスペクト比が１６：９の画面の幅にアスペクト比が４：３の画像の幅を合わせる。従って、画像の上下が表示されない。このモードでも、画像のアスペクト比は変換されない。
【０００７】
図１（ｃ）に示すのは、ワイドモードの画面及び画像例であり、このモードにおいては、アスペクト比が４：３の画像を均一に横方向に伸ばすことによりアスペクト比が１６：９の画面にフィットさせる。
【０００８】
図１（ｄ）に示すのは、出願人がスタジアムモードと称しているモードであり、このモードにおいては、アスペクト比が４：３の画像を変換することによりアスペクト比が１６：９の画面にフィットさせる。ここでの変換は、ノンリニアな変換である。すなわち、画面の中央部は変化させずに、画面の中央部から左右に離れるに従って大きくなる伸張率により、画面を横方向に伸ばすような変換である。
【０００９】
通常のワイドテレビであれば、画面のアスペクト比は１６：９に決まっているので、スタジアムモードにおけるノンリニア特性を１６：９のアスペクト比に合わせて固定とすることができる（例えば、特許文献１参照。）。
【特許文献１】特開２００３−１８９２６６号公報
【発明の開示】
【発明が解決しようとする課題】
【００１０】
しかし、パーソナルコンピュータのワイドモニタの場合には、機種毎にアスペクト比が１６：９から若干ずれる。また、パーソナルコンピュータの場合には、画像を表示するべきウィンドウのサイズを自由に変更することができ、従って、ウィンドウのアスペクト比を自由に変更することができる。更に、パーソナルコンピュータの場合には、解像度を選択することができるが、解像度毎にアスペクト比が若干異なる。
【００１１】
つまり、パーソナルコンピュータのワイドモニタの場合には、画像を表示するべき領域（全画面やウィンドウ）のアスペクト比が１６：９に固定しておらず、同じワイドモニタであっても、アスペクト比は、例えば、１６：８や１６：１０等に変化する。ノンリニア特性が予め決まっているスタジアムモードを利用して、このように変化する領域に画像を表示すると、例えば、アスペクト比が１６：１０の場合には、画像が不自然に横長になったり、アスペクト比が１６：８の場合には、画像が不自然に縦長になったりすることがある。例えば、図２に示すように、１６：９のアスペクト比で表示されることが想定されていた画像が、アスペクト比が１６：１０の領域に表示されると、画像が不自然に縦長になってしまう。
【００１２】
そうすると、同一のコンピュータ・プログラムやデバイスで、様々なアスペクト比の画像表示領域に対応して、自然な画像が表示できるようなアスペクト比の変換ができるようにすることが望まれる。
【００１３】
そこで、本発明は、画像を表示するべき領域のアスペクト比が変化した場合であっても、それに応じた特性で画像データを変換することを可能とする画像データ変換方法、その装置及びそのプログラムを提供することを目的とする。
【課題を解決するための手段】
【００１４】
本発明によれば、原アスペクト比を有する原領域に表示するための原画像データを基に、前記原アスペクト比とは異なる実際の出力アスペクト比を有する出力領域に表示するための出力画像データを生成するための画像データ変換方法であって、前記実際の出力アスペクト比に応じて、変換用パラメータを変化させるパラメータ生成ステップと、前記原画像データをノンリニア・スケーリング処理することにより所定のアスペクト比の中間画像データを生成する中間画像データ生成ステップと、前記中間画像データのうちの前記変換用パラメータで指定された領域に対応する部分を読み出し、当該読み出した部分を基に前記出力画像データを生成する出力画像データ生成ステップと、を備えることを特徴とする画像データ変換方法が提供される。
【００１５】
上記の画像データ変換方法において、前記実際の出力アスペクト比を画像表示制御部から検出する出力アスペクト比検出ステップを更に備えるようにしてもよい。
【００１６】
上記の画像データ変換方法において、前記パラメータ生成ステップは、複数の想定される出力アスペクト比にそれぞれ対応した複数の予備パラメータを保持するステップと、前記実際の出力アスペクト比と前記複数の想定された出力アスペクト比を参照して、前記複数の予備パラメータから前記変換用パラメータを生成し、又は、前記複数の予備パラメータのうちの１つの予備パラメータを前記変換用パラメータとして選択するステップと、を備えるようにしてもよい。
【００１７】
上記の画像データ変換方法において、前記変換用パラメータは、前記原画像データのうちの前記出力領域に含めるべき部分を指定するものであるようにしてもよい。
【００２１】
上記の画像データ変換方法において、前記中間画像データは、前記実際の出力アスペクト比に依存して変化しないものであるようにしてもよい。
【００２２】
上記の画像データ変換方法において、前記出力画像データ生成ステップでは、前記中間画像データのうちの前記変換用パラメータにより指定された部分を基に、前記出力画像データを生成するようにしてもよい。
【００２３】
上記の画像データ変換方法において、前記中間画像データのうちの前記変換用パラメータにより指定された部分のアスペクト比は、前記実際の出力アスペクト比とは異なり、前記出力画像データ生成ステップは、前記中間画像のうちの前記変換用パラメータにより指定された部分のアスペクト比から前記実際の出力アスペクト比へのアスペクト比変換を行なうステップを備えるようにしてもよい。
【００２７】
上記の画像データ変換方法において、前記変換用パラメータは、前記中間画像データのうちの前記出力領域に含めるべき部分を指定するものであるようにしてもよい。
【００２８】
上記の画像データ変換方法において、前記中間画像データのうちの前記変換用パラメータにより指定された部分のアスペクト比は、前記実際の出力アスペクト比とは異なり、前記出力画像データ生成ステップは、前記中間画像データのうちの前記変換用パラメータにより指定された部分のアスペクト比から前記実際の出力アスペクト比へのアスペクト比変換を行なうステップを備えるようにしてもよい。
【発明の効果】
【００３２】
本発明は、原アスペクト比を有する原領域に表示するための原画像データを基に、前記原アスペクト比とは異なる実際の出力アスペクト比を有する出力領域に表示するための出力画像データを生成するための画像データ変換方法であって、前記実際の出力アスペクト比に応じて、変換用パラメータを変化させるパラメータ生成ステップと、前記変換用パラメータを用いて、前記原画像データを変換することにより前記出力画像データを生成する画像データ生成ステップと、を備えるものであるので、画像を表示するべき出力領域のアスペクト比が変化した場合であっても、それに応じた特性で画像データを変換することが可能となる。
【発明を実施するための最良の形態】
【００３３】
以下、図面を参照して本発明を実施するための最良の形態について詳細に説明する。
【００３４】
［実施形態１］
図３を参照すると、符号１０１で示すのは、画像データ変換装置である。画像データ変換装置は、例えば、パーソナルコンピュータに搭載されたＬＳＩであってもよいが、パーソナルコンピュータを画像データ変換装置として機能させるためのプログラムをパーソナルコンピュータが記録媒体から読み込んで実行することによって実現してもよい。符号１０３で示すのは、グラフィック・アクセラレータであり、通常は、パーソナルコンピュータの所定のスロットに差し込まれていたり、マザーボードに実装されていたりするが、これに限られるわけではない。符号１０５で示すのはワイドモニタである。
【００３５】
ノンリニア・スケーリング処理部１０７は、アスペクト比が４：３の原画像データを基に、所定のアスペクト比の中間画像データを生成する。所定のアスペクト比は、例えば、アスペクト比が１６：９のワイドモニタを想定した場合には、１６：１１とすることにより、不自然に画像が横長になることを防止する。しかし、所定のアスペクト比は、これに限られるわけではない。
【００３６】
例えば、図４に示すように、ノンリニア・スケーリング処理部１０７は、原画像データを中央部と複数の縦長の周辺部に分け、中央部はそのままとし、周辺部を中央部から離れるに従って増加する拡大率で横方向に拡大することにより、中間画像データを生成する。中間画像データは、グラフィック・アクセラレータ１０３のビデオ・メモリ１０９に格納される。
【００３７】
固定表示領域パラメータＡ（符号１１１−Ａ）、固定表示領域パラメータＢ（符号１１１−Ｂ）、・・・、固定表示領域パラメータＮ（符号１１１−Ｎ）は、固定した表示領域パラメータであり、例えば、コンピュータを当該画像データ変換装置として機能させるためのプログラムのデータ領域に格納されており、プログラムの実行時には、主メモリ等に格納される。固定表示領域パラメータＡ（符号１１１−Ａ）、固定表示領域パラメータＢ（符号１１１−Ｂ）、・・・、固定表示領域パラメータＮ（符号１１１−Ｎ）は、それぞれ、想定される出力アスペクト比Ａ、アスペクト比Ｂ、・・・、アスペクト比Ｎに対応している。ここで、出力アスペクト比とは、実際の表示領域のアスペクト比のことである。それに対応した固定表示領域パラメータを設ける出力アスペクト比としては、例えば、１６：７、１６：９、１６：１１、１６：１３等が選ばれるが、これに限られるわけではない。固定表示領域パラメータは、出力表示領域のアスペクト比がこの固定表示領域パラメータに対応したアスペクト比と等しい場合に、中間画像データのどの領域を表示するかを示すものであり、例えば、中間画像データにおけるそのような領域の左上座標及び右下座標を示すものである。中間画像データの全領域のうちの表示するべき領域のアスペクト比は、出力アスペクト比に対応する。しかし、中間画像データの全領域のうちの表示するべき領域のアスペクト比は、出力アスペクト比と同一であっても良いが、一般には異なる。すなわち、例えば、出力アスペクト比が１６：９である場合に、アスペクト比が１６：１１の中間画像データの全領域のうちの上下部分を切り捨てて、アスペクト比が１６：９の領域を表示するべき領域として選択しても良いが、そのようにすると、画像の上下部分の情報が出力されないこととなってしまう。しかし、上下部分には、テロップ等の重要な情報が含まれていることが多い。そこで、例えば、出力アスペクト比が１６：９である場合に、アスペクト比が１６：１１の中間画像データの全領域のうちの僅かな上下部分を切り捨てて、アスペクト比が１６：１０の領域を表示するべき領域として選択する。こうすることにより、テロップ等の重要な情報が出力されなくなることを防止することができる。
【００３８】
表示領域アスペクト比取得部１１２は、出力アスペクト比を画像表示制御部１１３から取得して、表示領域パラメータ生成部１１５に渡す。
【００３９】
表示領域パラメータ生成部１１５は、対応する固定表示領域パラメータが存在するアスペクト比のうち、表示領域アスペクト比取得部１１２から受けた出力アスペクト比の周辺の想定されたアスペクト比に対応する固定表示領域パラメータを基に、出力アスペクト比に対応した表示領域パラメータを生成する。例えば、表示領域パラメータ生成部１１５は、対応する固定表示領域パラメータが存在するアスペクト比のうち、出力アスペクト比の両隣のアスペクト比に対応する固定表示領域パラメータを基に、線形補間により、出力アスペクト比に対応したパラメータを生成する。しかし、表示領域パラメータ生成部１１５は、出力アスペクト比に対応したパラメータを生成するためには、スプライン曲線を利用したり、他の補間法を利用してもよい。
【００４０】
図５（ａ）、（ｂ）、（ｃ）は、出力アスペクト比に対応したパラメータの例を示す。この例では、固定表示領域パラメータＡは、１６：９の出力アスペクト比に対応したものであり、固定表示領域パラメータＢは、１６：１１の出力アスペクト比に対応したものであることを想定している。左側の画像が中間画像データにより表される画像例を示し、右側の画像が出力画像データにより表される画像例を示す。
【００４１】
図５（ａ）に示すのは、実際の出力アスペクト比が１６：９である場合のものである。出力アスペクト比は、固定表示領域パラメータＡに対応するアスペクト比に等しいので、固定表示領域パラメータＡがそのまま出力アスペクト比に対応したパラメータとして利用される。左上座標（Ｐａ、Ｑａ）は、求まった表示領域パラメータの一部である。図示しないが、右下座標（Ｒａ、Ｓａ）も、求まった表示領域パラメータＡの他の一部である。上述したが、１６：９の出力アスペクト比に対応した固定表示領域パラメータＡに含まれる左上座標（Ｐａ、Ｑａ）と右下座標（Ｒａ、Ｓａ）により定義される領域のアスペクト比としては、例えば、１６：１０を設定しておく。また、この領域の幅は全幅とする。
【００４２】
図５（ｂ）に示すのは、出力アスペクト比が１６：１１である場合のものである。出力アスペクト比は、固定表示領域パラメータＢに対応するアスペクト比に等しいので、固定表示領域パラメータＢがそのまま出力アスペクト比に対応したパラメータとして利用される。左上座標（Ｐｂ、Ｑｂ）は、求まった表示領域パラメータＢの一部である。図示しないが、右下座標（Ｒｂ、Ｓｂ）も、求まった表示領域パラメータＢの他の一部である。上述したが、１６：１１の出力アスペクト比に対応した固定表示領域パラメータＡに含まれる左上座標（Ｐａ、Ｑａ）と右下座標（Ｒａ、Ｓａ）により定義される領域のアスペクト比は、画面上下の重要な情報が失われないように設定しておく。しかし、中間画像のアスペクト比が１６：１１であるため、１６：１１を設定しても、画面上下の重要な情報は失われない。なお、この領域の幅は全幅とする。
【００４３】
図５（ｃ）に示すのは、出力アスペクト比が１６：１０である場合のものである。出力アスペクト比は、固定表示領域パラメータＡに対応するアスペクト比１６：９と固定表示領域パラメータＢに対応するアスペクト比１６：１１の中間値であるので、固定表示領域パラメータＡと固定領域パラメータＢの平均値が出力アスペクト比に対応したパラメータとして利用される。左上座標（（Ｐａ＋Ｐｂ）／２、（Ｑａ＋Ｑｂ）／２）は、求まった表示領域パラメータの一部である。図示しないが、求まった座標（（Ｒａ＋Ｒｂ）／２、（Ｓａ＋Ｓｂ）／２）も、求まった表示領域パラメータの他の一部である。上述したが、左上座標（（Ｐａ＋Ｐｂ）／２、（Ｑａ＋Ｑｂ）／２）と右下座標（（Ｒａ＋Ｒｂ）／２、（Ｓａ＋Ｓｂ）／２）により定義される領域のアスペクト比は、１６：１０よりも縦長となる。また、この領域の幅は全幅となる。
【００４４】
拡大／縮小表示処理部１１７は、表示領域パラメータ生成部１１５から、出力アスペクト比に対応した表示領域パラメータを受ける。そして、ビデオ・メモリ１０９から中間画像データのうちの表示領域パラメータで指定された領域に対応する部分を読み出し、その読み出した部分を基に、出力画像データを生成する。この際、中間画像データのうちの表示領域パラメータで指定された領域のサイズから表示領域のサイズへの変換を行なう。サイズの変換は、縦方向のサイズの変換と横方向のサイズの変換が含まれる。そして、縦方向のサイズ変換における拡大縮小率と、横方向のサイズ変換における拡大縮小率は、一般に異なる。従って、サイズの変換はアスペクト比の変換も含むこととなる。また、表示領域の大小に応じて、サイズ変換は縮小又は拡大を含むこととなる。
【００４５】
なお、例えば、原画像データのアスペクト比が出力表示領域のアスペクト比に近いことが多い場合や簡便な構成としたい場合などには、ノンリニア・スケーリング処理部１０７を削除し、原画像データをそのままビデオ・メモリ１０９に書き込むようにしてもよい。
【００４６】
また、簡便な構成としたい場合には、表示領域パラメータ生成部１１５は、予め想定していた出力アスペクト比やそれらに対応した固定表示領域パラメータを参照することなく、出力アスペクト比と同一のアスペクト比を有する領域を中間画像から選択するようなパラメータを簡単な計算方法により算出するようにしてもよい。このような場合には、拡大／縮小表示処理部１１７が行なうサイズ変換には、アスペクト比の変換が含まれないこととなる。但し、この場合には、上下画像の重要な情報が欠落してしまう場合が多くなる。
【００４７】
［実施形態２］
実施形態１では、表示領域パラメータ生成部１１５は、出力アスペクト比に対応した表示領域パラメータを補間により生成したが、実施形態２の画像データ変換装置１０１Ｂでは、図６に示すように、表示領域パラメータ生成部１１５が、表示領域パラメータ選択部１１５Ｂに置き換わる。表示領域パラメータ選択部１１５Ｂは、出力表示領域のアスペクト比に最も近いアスペクト比を、対応する固定表示領域パラメータが存在するアスペクト比の中から探し、その探したアスペクト比に対応した固定表示領域パラメータを出力表示領域のアスペクト比に対応した表示領域パラメータとして選択する。
【００４８】
例えば、固定表示領域パラメータＡが１６：９のアスペクト比に対応したものであり、固定表示領域パラメータＢが１６：１１のアスペクト比に対応したものであり、出力アスペクト比が１６：９．５である場合には、１６：９のアスペクト比に対応した固定表示領域パラメータが選択される。
【００４９】
他の点は、実施形態１と同様であるので、説明を省略する。場合によっては、ノンリニア・スケーリング処理部１０７を省略できる点も実施形態１と同様である。また、拡大／縮小表示処理部１１７が、必要に応じて、アスペクト比変換を行なう点も実施形態１と同様であり、特に、表示領域パラメータ選択部１１５Ｂにより、出力表示領域の所定の範囲のアスペクト比に対して同一の固定表示領域パラメータが選択されるので、拡大／縮小表示処理部１１７が、アスペクト比変換を行なう場合は多くなる。
【００５０】
［実施形態３］
実施形態１及び実施形態２では、ノンリニア・スケーリング処理部１０７は、予め決まったノンリニア特性に従って、原画像データを基に、中間画像データを生成することとしていた。これに対し、図７に示す実施形態３の画像データ変換装置１０１Ｃでは、ノンリニア・スケーリング処理部１０７は、ノンリニア・スケーリング処理部１０７Ｂに置き換わる。ノンリニア・スケーリング処理部１０７Ｂは、追加されたスケーリング・パラメータ生成部１１９により指定されたスケーリング・パラメータに従って、原画像データを基に、中間画像データを生成する。このスケーリング・パラメータは、変換による生成の際のノンリニア特性を指定する。
【００５１】
追加された固定スケーリング・パラメータＡ（符号１２１−Ａ）、固定スケーリング・パラメータＢ（符号１２１−Ｂ）、・・・、固定スケーリング・パラメータＮ（符号１２１−Ｎ）は、固定のスケーリング・パラメータであり、例えば、コンピュータを当該画像データ変換装置として機能させるためのプログラムのデータ領域に格納されており、プログラムの実行時には、主メモリ等に格納される。固定スケーリング・パラメータＡ（符号１２１−Ａ）、固定スケーリング・パラメータＢ（符号１２１−Ｂ）、・・・、固定スケーリング・パラメータＮ（符号１２１−Ｎ）は、それぞれ、アスペクト比Ａ’、アスペクト比Ｂ’、・・・、アスペクト比Ｎ’に対応している。（アスペクト比Ａ’、アスペクト比Ｂ’、・・・、アスペクト比Ｎ’は、固定表示領域パラメータＡ、Ｂ、・・・、Ｎに対応したアスペクト比Ａ、アスペクト比Ｂ、・・・、アスペクト比Ｎと同一であっても良いが、全部又は一部が異なっていてもよい。以下では、説明を簡単にするために、全部が同一であるとする。）
それに対応した固定スケーリング・パラメータを設けるアスペクト比としては、例えば、１６：７、１６：９、１６：１１、１６：１３等が選ばれるが、これに限られるわけではない。固定スケーリング・パラメータは、出力アスペクト比がこの固定表示領域パラメータに対応したアスペクト比と等しい場合に、どの様なノンリニア特性に従って、原画像データを基に、中間画像データを生成するのかを示すものであり、例えば、図８に示すような中央部の左端位置Ａ及び右端位置Ｂ、複数の縦長の周辺部のそれぞれについての横方向の拡大率（数値が１を超える場合）又は縮小率（数値が１未満の場合）によりノンリニア特性を示す。このようなノンリニア特性により生成された中間画像データを図９の右側に示す。
【００５２】
固定スケーリング・パラメータＡ（符号１２１−Ａ）、固定スケーリング・パラメータＢ（符号１２１−Ｂ）、・・・、固定スケーリング・パラメータＮ（符号１２１−Ｎ）の例を下表に示す。
【００５３】
【表１】
0004472597.tif 000002
表示領域アスペクト比取得部１１２は、出力アスペクト比を画像表示制御部１１３から取得して、表示領域パラメータ生成部１１５のみならずスケーリング・パラメータ生成部１１９にも渡す。
【００５４】
スケーリング・パラメータ生成部１１９は、対応する固定スケーリング・パラメータが存在するアスペクト比のうち、表示領域アスペクト比取得部１１２から受けた出力アスペクト比の周辺のアスペクト比に対応する固定スケーリング・パラメータを基に、出力アスペクト比に対応したスケーリング・パラメータを生成する。例えば、スケーリング・パラメータ生成部１１９は、対応する固定スケーリング・パラメータが存在するアスペクト比のうち、出力アスペクト比の両隣のアスペクト比に対応する固定表示領域パラメータを基に、線形補間により、出力アスペクト比に対応したスケーリング・パラメータを生成する。
【００５５】
例えば、上表に示すような固定スケーリング・パラメータが上表に示すような出力アスペクト比に対して設けられていて、出力表示領域のアスペクト比が１６：１０である場合には、１．７８：１（１６：９）の出力アスペクト比に対応した固定スケーリング・パラメータと１．３３：１（４：３）の出力アスペクト比に対応した固定スケーリング・パラメータを基に、線形補間によりノンリニア・スケーリング処理部１０７Ｂで用いるべきスケーリング・パラメータを生成する。
【００５６】
具体的には、以下のようになる。表示領域の高さを１とするような正規化をすると、（１）１６：１０のアスペクト比での幅と１．７８：１のアスペクト比での幅との差分をｗ１、（２）１６：１０のアスペクト比での幅と１．３３：１のアスペクト比での幅の差分をｗ２とすると、
ｗ１：ｗ２＝１８：２７
である。ここで、１．７８：１の出力アスペクト比に対応した固定スケーリング・パラメータをｔ１として、１．３３：１の出力アスペクト比に対応した固定スケーリング・パラメータをｔ２とすると、求めるべきスケーリング・パラメータｔは、
ｔ＝（ｔ１×２７＋ｔ２×１８）／（２７＋１８）
となる。その結果、下表のようなスケーリング・パラメータが求まる。
【００５７】
【表２】
0004472597.tif 000003
しかし、スケーリング・パラメータ生成部１１９は、出力表示領域のアスペクト比に対応したパラメータを生成するためには、スプライン曲線を利用したり、他の補間法を利用してもよい。
【００５８】
このようにしてスケーリング・パラメータ生成部１１９が生成したスケーリング・パラメータを用いて、ノンリニア・スケーリング処理部１０７Ｂが生成した中間画像データのアスペクト比は、必ずしも出力アスペクト比と一致するとは限らない。
【００５９】
従って、実施形態１と同様に、固定表示領域パラメータＡ（符号１１１−Ａ）、固定表示領域パラメータＢ（符号１１１−Ｂ）、・・・、固定表示領域パラメータＮ（符号１１１−Ｎ）、表示領域パラメータ生成部１１５及び拡大／縮小表示処理部１１７を設ける。そして、表示領域アスペクト比取得部１１２が取得した出力アスペクト比を基に生成された表示領域パラメータにより指定される領域を中間画像データから抜き出して、抜き出された領域の中間画像データを基に、出力画像データを生成する。
【００６０】
または、実施形態２と同様に、固定表示領域パラメータＡ（符号１１１−Ａ）、固定表示領域パラメータＢ（符号１１１−Ｂ）、・・・、固定表示領域パラメータＮ（符号１１１−Ｎ）、表示領域パラメータ選択部１１５Ｂ及び拡大／縮小表示処理部１１７を設ける。そして、表示領域アスペクト比取得部１１２が取得した出力アスペクト比を基に選択された表示領域パラメータにより指定される領域を中間画像データから抜き出して、抜き出された領域の中間画像データを基に、出力画像データを生成する。
【００６１】
但し、中間画像データのうち出力画像データの基となるべき領域を固定してもよい。この場合には、固定表示領域パラメータＡ（符号１１１−Ａ）、固定表示領域パラメータＢ（符号１１１−Ｂ）、・・・、固定表示領域パラメータＮ（符号１１１−Ｎ）及び表示領域パラメータ生成部１１５又は表示領域パラメータ選択部１１５Ｂは不要となる。
【００６２】
実施形態３では、固定スケーリング・パラメータ群を原画像データの異なったアスペクト比毎に用意しておいて、入力した原画像データのアスペクト比に応じて固定スケーリング・パラメータ群を切り換えることにより、原画像データのアスペクト比に最適なノンリニア・スケーリングをすることが可能となる。例えば、図１０に示すように、２．３５：１のアスペクト比を有するシネスコサイズの原画像に対しても最適なノンリニア・スケーリングをすることが可能になる。１．６６：１又は１．８５：１のアスペクト比を有するビスタサイズ等の原画像に対しても同様に最適なノンリニア・スケーリングをすることが可能になる。
【００６３】
また、図や表に示す例では、横方向の拡大又は縮小を示しているが、本実施形態の構成では、この他、縦方向に拡大又は縮小、更には、２次元的に画面を区分して、横方向及び縦方向の拡大又は縮小することもできる。
【００６４】
［実施形態４］
実施形態３では、スケーリング・パラメータ生成部１１９は、出力アスペクト比に対応したスケーリング・パラメータを補間により生成したが、図１１に示す実施形態４の画像データ変換装置１０１Ｄでは、スケーリング・パラメータ生成部１１９が、スケーリング・パラメータ選択部１１９Ｂに置き換わる。スケーリング・パラメータ選択部１１９Ｂは、出力アスペクト比に最も近いアスペクト比を、対応するスケーリング・パラメータが存在するアスペクト比の中から探し、その探したアスペクト比に対応したスケーリング・パラメータを出力アスペクト比に対応したスケーリング・パラメータとして選択する。
【００６５】
例えば、スケーリング・パラメータＡが１６：９のアスペクト比に対応したものであり、スケーリング・パラメータＢが１６：１１のアスペクト比に対応したものであり、出力アスペクト比が１６：９．５である場合には、１６：９のアスペクト比に対応したスケーリング・パラメータが選択される。
【００６６】
他の点は、実施形態３と同様であるので、説明を省略する。拡大／縮小表示処理部１１７が、必要に応じて、アスペクト比変換を行なう点も実施形態３と同様であり、特に、スケーリング・パラメータ選択部１１９Ｂにより、出力表示領域の所定の範囲のアスペクト比に対して同一のスケーリング・パラメータが選択されるので、中間画像データのアスペクト比はそれに応じて変動し、従って、拡大／縮小表示処理部１１７が、アスペクト比変換を行なう場合は多くなる。
【図面の簡単な説明】
【００６７】
【図１】従来例によるアスペクト比が４：３のテレビ信号を基にアスペクト比が１６：９前後のテレビ画面を表示するため種々のモードを示す図である。
【図２】従来例による問題点を示す図である。
【図３】本発明の実施形態１による画像データ変換装置の構成を示す図である。
【図４】本発明の実施形態１における原画像データと中間画像データの例を示す図である。
【図５】本発明の実施形態１における出力アスペクト比毎の中間画像データと出力画像データの対応関係を示す図である。
【図６】本発明の実施形態２による画像データ変換装置の構成を示す図である。
【図７】本発明の実施形態３による画像データ変換装置の構成を示す図である。
【図８】本発明の実施形態３におけるノンリニア特性を与えるパラメータを示す図である。
【図９】本発明の実施形態３における原画像データと中間画像データの例を示す図である。
【図１０】本発明の実施形態３における原画像データと中間画像データの他の例を示す図である。
【図１１】本発明の実施形態４による画像データ変換装置の構成を示す図である。
【符号の説明】
【００６８】
１０１、１０１Ｂ、１０１Ｃ、１０１Ｄ  画像データ変換装置
１０３  グラフィック・アクセラレータ
１０５  ワイド・モニタ
１０７、１０７Ｂ  ノンリニア・スケーリング処理部
１０９  ビデオ・メモリ
１１１−Ａ、Ｂ、・・・、Ｎ  固定表示領域パラメータ
１１２  表示領域アスペクト比取得部
１１３  画面表示制御部
１１５  表示領域パラメータ生成部
１１５Ｂ  表示領域パラメータ選択部
１１７  拡大／縮小表示処理部
１１９  スケーリング・パラメータ生成部
１１９Ｂ  スケーリング・パラメータ選択部
【図１】
0004472597.tif 000004
【図２】
0004472597.tif 000005
【図３】
0004472597.tif 000006
【図４】
0004472597.tif 000007
【図５】
0004472597.tif 000008
【図６】
0004472597.tif 000009
【図７】
0004472597.tif 000010
【図８】
0004472597.tif 000011
【図９】
0004472597.tif 000012
【図１０】
0004472597.tif 000013
【図１１】
0004472597.tif 000014